(57)【要約】【課題】  複数枚の記録ディスクメディアが収容される記録ディスクカートリッジにおいて、記録ディスクメディアの安定した回転動作を可能とする。【解決手段】  記録ディスクメディアの一例である磁気ディスクメディア４１をカートリッジケース２に複数収納し、下壁を構成する下プレート１０と、上壁を構成する上プレート３０と、磁気ディスクメディア４１に対しデータの記録および／または再生を行うヘッド６３が進入する開口部３を備え、下プレート１０および上プレート３０の少なくとも一方の内面から離間した位置に、内面との間に空気室５０Ａ（５０Ｂ）を形成し、この空気室５０Ａ（５０Ｂ）の端部をヘッド６３が進入する開口部３に連通した。【選択図】      図４
2006092705.tif 000002
【特許請求の範囲】
【請求項１】
フレキシブルな複数の記録ディスクメディアをカートリッジケース内に一体回転可能に収納した記録ディスクカートリッジであって、
前記カートリッジケースは、前記記録ディスクメディアの回転時に、前記記録ディスクメディアに略平行な下壁を構成する下プレートと、前記記録ディスクメディアに略平行な上壁を構成する上プレートと、前記記録ディスクメディアに対しデータの記録および／または再生を行うヘッドが進入する開口部とを備え、
前記下プレートおよび前記上プレートの少なくとも一方の内面から離間した位置に、前記内面との間に空気室を形成する通気性のシートを設けて、この空気室の端部を前記開口部に連通したことを特徴とする記録ディスクカートリッジ。
【請求項２】
前記通気性のシートは、織布または不織布からなることを特徴とする請求項１に記載の記録ディスクカートリッジ。
【請求項３】
前記通気性のシートは、超高分子量ポリエチレンからなることを特徴とする請求項１に記載の記録ディスクカートリッジ。
【発明の詳細な説明】
【技術分野】
【０００１】
本発明は、フレキシブルな記録ディスクメディアを複数備えた記録ディスクカートリッジに関する。
【背景技術】
【０００２】
従来、ポリエステルシートなどのフレキシブルな素材からなる円盤状の支持体の両面に磁性層を形成したフレキシブルな磁気ディスクメディアが知られている。この磁気ディスクメディアは、磁気テープに比べるとデータへのアクセスが速いというメリットがある一方で、記録面積が小さいことから記憶容量が小さいというデメリットがある。
【０００３】
このようなフレキシブルな磁気ディスクメディアのデメリットを解決するため、従来、一つのカートリッジケースに複数枚の磁気ディスクメディアを収納した磁気ディスクカートリッジが開示されている（例えば、特許文献１参照）。
【０００４】
ところで、フレキシブルな磁気ディスクメディアは、メディア自身の剛性が低いため、回転させると周囲の空気流の影響を受けて、記録面に垂直な方向に振れやすいという問題がある。そのため、前記した特許文献１に記載の発明においては、各磁気ディスクメディアをシャッタにより挟んだ構成としている。このように磁気ディスクメディアの近傍に剛性が高いシャッタなどの板部材を配置することにより、磁気ディスクメディアが回転にともない板部材に沿うので、記録面を安定させることができる。
【特許文献１】特開２００４−２２０１１号公報
【発明の開示】
【発明が解決しようとする課題】
【０００５】
記録ディスクカートリッジにおいて、記録ディスクメディアに対しデータの記録および／または再生を行うヘッドが進入する開口部は、カートリッジケースの厚さを薄く形成しようとする場合やヘッドが大きい場合等に、ヘッドとの干渉を避けるためにカートリッジケースの上下面を切り欠くことで形成されることがある。また、ヘッドが十分小さく形成されていて、カートリッジケースの上下面に切欠きを形成しない場合でも、ヘッドとカートリッジケースとの干渉を避けるために、カートリッジケースの開口部の肉厚を薄く形成することがある。このため、記録ディスクメディア近傍の空間における空気流や圧力は一定となりにくい。
前記した特許文献１の磁気ディスクカートリッジにおいても、第１，第２のシェルハーフを部分的に切り欠くことによって開口部が形成されるようになっており、上下２枚の記録ディスクメディアは、開口部に対向する面側が、開口部を通じてカートリッジケースの外側を臨む状態となっている一方、それ以外の部分は、シェルハーフやシャッタ部材により覆われた状態となっている。このため、記録ディスクメディアを高速で回転させると、その回転に伴う気圧の変化が、開口部とそれ以外の部分とでは不均衡となったり気流が乱れたりするおそれがあり、その影響で、上下の記録ディスクメディアの回転動作が不安定になるおそれがあった。また、記録ディスクメディアを３枚、５枚とした記録ディスクカートリッジにおいても同様に、開口部を通じてカートリッジケースの外側を臨む最下層および最上層の記録ディスクメディアの回転動作が不安定になるおそれがあった。さらに、このことは、最上層および最下層の記録ディスクメディアの間に挟まれた記録ディスクメディアの回転動作に対しても影響を与えるおそれがあった。
【０００６】
このような背景に鑑みて本発明がなされたのであり、本発明は、複数枚の記録ディスクメディアが収容される記録ディスクカートリッジにおいて、記録ディスクメディアの安定した回転動作を可能とすることを目的とする。
【課題を解決するための手段】
【０００７】
前記した課題を解決するため、本発明の記録ディスクカートリッジは、フレキシブルな複数の記録ディスクメディアをカートリッジケース内に一体回転可能に収納した記録ディスクカートリッジであって、前記カートリッジケースは、前記記録ディスクメディアの回転時に、前記記録ディスクメディアに略平行な下壁を構成する下プレートと、前記記録ディスクメディアに略平行な上壁を構成する上プレートと、前記記録ディスクメディアに対しデータの記録および／または再生を行うヘッドが進入する開口部とを備え、前記下プレートおよび前記上プレートの少なくとも一方の内面から離間した位置に、前記内面との間に空気室を形成する通気性のシートを設けて、この空気室の端部を前記開口部に連通した構成としている。
【０００８】
このような構成とした記録ディスクカートリッジによれば、下プレートおよび上プレートの少なくとも一方の内面から離間した位置に、内面との間に空気室を形成する通気性のシートが設けられ、この空気室の端部が開口部に連通されているので、空気室を介して空気が行き交い、開口部における気圧とそれ以外の部分における気圧の差が解消される。その結果、最下層や最上層の記録ディスクメディアの安定した回転動作が可能となる。
【０００９】
また、記録ディスクメディアに対向する内面に通気性のシートを隔てて空気室が形成されているので、空気室を介して空気が行き交う際に通気性のシートが気圧差や気流の乱れに対し緩衝材的な役割をなし、記録ディスクメディアの安定した回動動作に寄与する。さらに、通気性のシートは、非回転時（不使用時に記録ディスクカートリッジを収納場所等に収納した状態を含む）に撓んだ状態となる記録ディスクメディアが、カートリッジケースの内面に直接当接するのを防止して保護する機能を併せ備えており、これにより、記録ディスクメディアの非回転時や回転初動時に生じるおそれのある擦傷が好適に防止されるようになっている。
【００１０】
前記通気性のシートは、織布や不織布から形成してもよいし、超高分子量ポリエチレンから形成してもよい。織布や不織布を用いることにより、通気性のシートを簡易に形成することができ、また、超高分子量ポリエチレンを用いることにより、耐磨耗性を備えたものとすることができる。
【発明の効果】
【００１１】
本発明によれば、記録ディスクメディアの安定した回転動作を実現することができる記録ディスクカートリッジが得られる。
【発明を実施するための最良の形態】
【００１２】
次に、本発明の実施形態について、適宜図面を参照しながら詳細に説明する。本実施形態においては、記録ディスクメディアの一例として磁気ディスクメディアを採用した場合について説明する。
図１は、一実施形態に係る磁気ディスクカートリッジの外観斜視図の（ａ）シャッタを閉じた状態、および（ｂ）シャッタを開けた状態を示し、図２は、一実施形態に係る磁気ディスクカートリッジの分解斜視図であり、図３は、上プレートの内面を示す斜視図であり、図４は、磁気ディスクドライブに装填した磁気ディスクカートリッジの図１（ｂ）におけるIV−IV断面図であり、図５は、図４の部分拡大図であり、図６は、磁気ディスクメディアの積層構造を示す分解斜視図である。なお、以下の説明において、上下は、磁気ディスクカートリッジの典型的な使用状態を基準とし、便宜上磁気ディスクメディアの面に垂直な方向を上下と称する。
【００１３】
図１に示すように、記録ディスクカートリッジの一例である磁気ディスクカートリッジ１は、下壁を構成する下プレート１０と、複数枚、例えば４枚のインナプレート２０と、上壁を構成する上プレート３０とを順に積層し、これらを４つのネジ９１で締結して固定することでカートリッジケース２が構成されている。そして、図２に示すように、下プレート１０とインナプレート２０の間、インナプレート２０同士の間、およびインナプレート２０と上プレート３０の間のそれぞれには磁気ディスクメディア４１が配置されている。磁気ディスクメディア４１は中央に開口部４１ａを有する円盤形状であり、開口部４１ａの縁に金属製のセンタコア４２が貼り付けられている。そして、センタコア４２同士がスペーサ４３，４３′により係合して５枚の磁気ディスクメディア４１（この積層・一体化された磁気ディスクメディア４１をディスクスタック４０とする）を一体に回転するようになっている。
【００１４】
各インナプレート２０は、平板状の主プレート２１の外周縁に上下のプレートと当接するリブ２２が形成されている。インナプレート２０の図２における右手前側の一部は、磁気ヘッド６３（図４参照）が磁気ディスクメディア４１上に移動しやすいように切欠２３を形成している。この切欠２３の部分は、前記したリブ２２が形成されておらず、そのためインナプレート２０を積み重ねると、図１（ｂ）に示すようにカートリッジケース２の側面に通じる開口部３が形成される。
【００１５】
この開口部３は、カートリッジケース２の前面側（側面側）にスライド可能に設けられたシャッタ４により開閉される。なお、下プレート１０および上プレート３０には、開口部３を形成するための切欠は設けられていない。
また、図５に示すように、下プレート１０および上プレート３０の内面から離間した位置に、内面との間に空気室５０Ａ，５０Ｂを形成する通気性のシート５１が設けられ、この空気室５０Ａ，５０Ｂの端部が開口部３に連通された（図７参照）構成となっている。
【００１６】
次に、各部材についてより詳細に説明する。
図２に示すように、下プレート１０は、主として略正方形の主プレート１１の外周縁に、インナプレート２０のリブ２２の下面側と当接するリブ１２が形成されて構成されている。リブ１２は、主プレート１１の外周縁のうち、後記する開口１４を除く全周にわたり、上方へ突出するように形成されている。
空気室５０Ａは、主プレート１１におよそ円筒状の凹部を形成し、この凹部を塞ぐ状態に通気性のシート５１を貼り付けることにより形成されている。
主プレート１１の一辺１１ａ（図２における右手前側の一辺）から主プレート１１の中心に向かう扇形の部分は、空気室５０Ａを形成する凹部よりもさらに一段低くなった凹部１４ａが形成されており、外周縁にはリブ１２が形成されずに開口１４となっている。これにより、磁気ヘッド６３がカートリッジケース２内に進入することを容易にしている。また、この凹部１４ａと空気室５０Ａとの境界部分には、凹凸状を呈して凹部１４ａ側の空間（開口部３）と空気室５０Ａと連通口を形成する突部１５，１５が設けられている。突部１５，１５の上面には、通気性のシート５１の端部５２，５２が貼り付けられる。
【００１７】
主プレート１１の中央には、最下層の磁気ディスクメディア４１に設けられるセンタコア４２を露出させるための円形の開口部１６が形成されている。開口部１６の上側の縁には、通気性のシート５１の内縁部５１ａが貼り付けられるリブ１７が全周にわたって形成されている。また、空気室５０Ａを形成する凹部の外縁部１８には、通気性のシート５１の外縁部５１ｂが貼り付けられる。
また、主プレート１１の四つの角部には上下に貫通して、雌ネジが形成されたネジ孔１９が形成されている。
【００１８】
通気性のシート５１は、磁気ディスクメディア４１の形状に合わせて円形状を呈しており、微細透孔が多数分散形成されたシート状体である。特に好適な素材として、例えば、不織布や超高分子量ポリエチレンのフイルムを多孔化したものが挙げられる。不織布を用いた場合には、通気性のシート５１を簡易に形成することができ、また、超高分子量ポリエチレンのフイルムを用いた場合には、滑り性および耐摩耗性を備えたシート５１が得られる。なお、シート５１は、織布と不織布との組み合わせ、または、織布から形成してもよい。なお、不織布等を数種類貼り合わせて構成してもよい。
このような通気性のシート５１は、通常、溶着や接着剤で下プレート１０および上プレート３０の所定の位置に貼り付けられる。
【００１９】
インナプレート２０の主プレート２１は、およそ正方形をなしており、下プレート１０の凹部１４ａに対応する形状の扇形の切欠２３が形成されている。前記したリブ２２は、主プレート２１の外周縁のうち、切欠２３を除く全周にわたり、上下に突出して形成されている。そして、主プレート２１の中央には、上方のセンタコア４２を露出して、下方のセンタコア４２との連結を可能にするための中央開口部２１ｃが形成されている。
また、主プレート２１の各角部には、上下に貫通してネジ９１のネジ軸部９１ａが挿通される孔２９が形成されている。
【００２０】
上プレート３０は、下プレート１０とおよそ対称に形成されている。図３に示すように、上プレート３０は、およそ正方形の主プレート３１に、前記した凹部１４ａに対応する凹部３４と、リブ１７に対応するリブ３７が形成されている。そして、主プレート３１におよそ円筒状の凹部を形成し、この凹部を塞ぐ状態に通気性のシート５１を貼り付けることにより、前記した空気室５０Ａと同様の空気室５０Ｂが形成されている。また、凹部３４と空気室５０Ｂとの境界部分には、前記した突部１５，１５と同様の突部３５，３５が形成されている。なお、主プレート３１の中央に開口は形成されていない。
そして、主プレート３１の外周縁には、下方に突出するリブ３２が、凹部３４を除く全周にわたって形成されている。
また、主プレート３１の四つの角部には、ネジ９１のネジ軸部９１ａが貫通する孔３９が形成されている。
【００２１】
シャッタ４は、開口部３（図１（ｂ）参照）とディスクスタック４０とを遮断する遮蔽部材であり、側面視でコ字形を呈している。シャッタ４は、下プレート１０の底面に形成された段部１０ａ（図１（ｂ）に一部図示）と上プレート３０の上面に形成された段部３０ａに沿って、図中矢印Ｓで示す方向にスライド可能となっており、磁気ディスクドライブの磁気ヘッド６３が進入可能な開口部３を開くようになっている。すなわち、この磁気ディスクカートリッジ１では、シャッタ４が側方に大きくスライドする構成となっており、これにより、アクチュエータ６１により回動するスイングアーム６２の先端に設けられた磁気ヘッド６３が進入可能となっている。なお、シャッタ４は、図示しないばね等の付勢手段により、不使用時には開口部３を閉塞する側へ付勢されており（図１（ａ）参照）、また、使用時には磁気ディスクドライブ側の図示しないシャッタスライド手段により、前記付勢手段に抗して開口部３を開く側にスライドされる。
【００２２】
図５に示す拡大断面図のように、インナプレート２０の上下の両面は、磁気ディスクメディア４１と対向する面であり、それぞれ磁気ディスクメディア４１に対向する部分にわたってライナ４９が貼り付けられている。
ライナ４９は、例えばポリエステル繊維やレーヨン／ポリエステル混紡繊維などの不織布などからなる。また、前記通気性のシート５１をこの不織布で形成して、除塵機能が付加されるように構成してもよい。
【００２３】
次に、下プレート１０と、インナプレート２０と、上プレート３０の積層構造について説明する。
下プレート１０のリブ１２は、図５に示すように内側が外側に対して一段高く形成されて雄型段部１２ａを形成している。そして、インナプレート２０のリブ２２は、最外周で下方に突出した雌型段部２２ａを形成しており、雄型段部１２ａの外周と雌型段部２２ａの内周が嵌合可能になっている。また、ネジ９１（図１参照）により下プレート１０、インナプレート２０、および上プレート３０を締結したときには、雄型段部１２ａの上面と、インナプレート２０の下面の対応する部分が密着する設定となっている。このように、下プレート１０のリブ１２と、インナプレート２０のリブ２２は、いわゆる印籠嵌合しているため、外部からカートリッジケース２内への塵埃の侵入が防止されている。
同様にして、インナプレート２０同士、およびインナプレート２０と上プレート３０も印籠嵌合により積層されている。すなわち、インナプレート２０の上側は、内側が一段高くなった雄型段部２２ｂが形成され、上プレート３０のリブ３２は、最外周が一段下側に突出した雌型段部３２ａが形成されている。そして、インナプレート２０の雄型段部２２ｂと、上に隣接するインナプレート２０の雌型段部２２ａが印籠嵌合し、また、インナプレート２０の雄型段部２２ｂと、上プレート３０の雌型段部３２ａが印籠嵌合して積層されている。このようにして、リブ１２，２２，３２は互いに印籠嵌合して、外部からカートリッジケース２へ塵埃が入ることを防止している。また、下プレート１０、インナプレート２０、上プレート３０の積層と同時にカートリッジケース２の側壁が構成される。
【００２４】
また、前記した雌型段部２２ａおよび雄型段部２２ｂは、ともに主プレート２１からライナ４９の厚みより高く突出している。そのため、インナプレート２０にライナ４９を貼り付けてアセンブリにした後に、このアセンブリを作業台などに置いたとしても、ライナ４９が作業台に接することが無く、したがってライナ４９が塵埃などで汚染されることがない。
【００２５】
このようなインナプレート２０の積層によるカートリッジケース２の構成は、磁気ディスクメディア４１の枚数の変更を容易にする。シャッタ４の高さ変更は要するが、主としてインナプレート２０の枚数を変更するだけで、カートリッジケース２内に形成される磁気ディスクメディア４１の収容部の数を変更できるからである。
【００２６】
次に、磁気ディスクメディア４１およびその積層構造について説明する。
磁気ディスクメディア４１は、例えばポリエステルなどの樹脂シートに磁性塗料を両面に塗布したものである。
【００２７】
図６に示すように、センタコア４２は、金属板をプレスにより絞り成形して略ハット状にしたものである。すなわち、主として円形の底板４２ａと、底板４２ａの外周縁から立ち上がる低い円筒状の側壁４２ｂと、側壁４２ｂの上端から外径方向に広がるフランジ４２ｃとから構成されている。底板４２ａの中心には、センタホール４２ｄが形成され、周縁部にはセンタホール４２ｄを中心に６０°間隔で６つの小孔４２ｅが形成されている。
【００２８】
スペーサ４３は、隣接するセンタコア４２の間に介装されて、センタコア４２同士の間隔を保持するとともに、隣接するセンタコア４２相互間の回転を係止して、積層された磁気ディスクメディア４１が一体になって回転するように機能する。スペーサ４３は、樹脂をリング状に成形した本体部４３ａと、本体部４３ａに圧入された金属製のピン４３ｂとから構成される。本体部４３ａには、ピン４３ｂが圧入される小径孔部４３ｃと、小径孔部４３ｃと同軸で僅かに大径である大径孔部４３ｄとからなる貫通孔ｈが、センタコア４２の小孔４２ｅと対応する位置に６つ形成されている。この６つの貫通孔ｈは、隣接するもの同士の上下が逆になっている。つまり、大径孔部４３ｄが上側に位置する貫通孔ｈ１の両隣の貫通孔ｈ２は、大径孔部４３ｄが下側に位置するように配置されている。
各小径孔部４３ｃには、上側と下側からピン４３ｂが圧入され、ピン４３ｂの一端は大径孔部４３ｄと小径孔部４３ｃの境目に位置し、他端は小径孔部４３ｃの外側へ突出している。大径孔部４３ｄは、隣接するスペーサ４３のピン４３ｂの先端の逃げとしての機能を果たす。
【００２９】
このようなスペーサ４３は、図５に示すように、隣接するセンタコア４２の間に介装される。スペーサ４３の下側に突出したピン４３ｂは、スペーサ４３の下側のセンタコア４２の小孔４２ｅに入り、下側のセンタコア４２との相対回転を係止する。下側のセンタコア４２のさらに下にスペーサ４３がある場合には、下側のスペーサ４３における大径孔部４３ｄに入り込むことで、スペーサ４３のセンタコア４２に対する浮き上がりを防止している。スペーサ４３の上側に突出したピン４３ｂは、スペーサ４３の上側のセンタコア４２の小孔４２ｅに入り、上側のセンタコア４２との相対回転を係止する。上側のセンタコア４２のさらに上にスペーサ４３がある場合には、ピン４３ｂの先端は、上側のスペーサ４３における大径孔部４３ｄに入り込む。
【００３０】
なお、最上層のセンタコア４２は、上側に回転係止すべきセンタコアが無いため、その上には下側にのみピン４３ｂを突出させた、厚みの薄いトップスペーサ４３′が配置される。
【００３１】
以上のように積層された磁気ディスクメディア４１、つまりディスクスタック４０は、連結軸４４、ベアリングボール４５、圧縮コイルばね４６、およびセンタプレート４７により、安定した回転支持がなされている。
図５に示すように、連結軸４４は、積層されたセンタコア４２の相互間の中心の振れを少なくするとともに、ベアリングボール４５および圧縮コイルばね４６を保持するためのものであり、軸部４４ａ、ボール保持部４４ｂ、およびばね保持部４４ｃからなる。軸部４４ａは、センタコア４２のセンタホール４２ｄに挿通可能な円柱形状からなる。ボール保持部４４ｂは、軸部４４ａの上端に上側に開口した有底円筒状に形成されている。ボール保持部４４ｂの深さは、ベアリングボール４５の半径より大きく、そのためベアリングボール４５がボール保持部４４ｂに安定して保持される。ばね保持部４４ｃは、ボール保持部４４ｂの外径側に有底円筒を伏せた形状からなり、軸部４４ａとばね保持部４４ｃの間の円筒状の空間に圧縮コイルばね４６が配置される。なお、連結軸４４の長さは任意的であるが、本実施形態では、下から２層目のセンタコア４２まで届く長さであり、最下層のセンタコア４２のセンタホール４２ｄは、磁気ディスクドライブのスピンドル６５が進入できるように開いている。
【００３２】
センタプレート４７は、上プレート３０の内面の中心、つまり、リブ３７の内側の平面部分に貼り付けられた滑り部材である。センタプレート４７は、例えば、ポリオキシメチレン樹脂、超高分子量ポリエチレンなどの滑り性と耐摩耗性に優れた材料から構成することができる。
【００３３】
ベアリングボール４５は、例えばボールベアリングに使用される鋼製の球体からなるが、滑り性、耐摩耗性に優れた樹脂、例えばポリテトラフルオロエチレン、ポリオキシメチレン樹脂などにより構成しても良い。ベアリングボール４５は、連結軸４４のボール保持部４４ｂ内に配置されて、ボール保持部４４ｂの底面および上プレート３０の内面の中心、つまりセンタプレート４７と点接触により当接して、ディスクスタック４０を回転支持する。
【００３４】
圧縮コイルばね４６は、一端（上端）が連結軸４４のばね保持部４４ｃに保持され、他端（下端）が最上層のセンタコア４２の上面に当接して、積層されたセンタコア４２を下プレート１０側、つまり磁気ディスクドライブのスピンドル６５側へ付勢している。これにより、センタコア４２は、カートリッジケース２の中でがたつくことがなく、磁気ディスクメディア４１の回転時の振れが防止される。
【００３５】
磁気ディスクカートリッジ１に対し、データの記録、再生を行う磁気ディスクドライブは、図４に示すように、スピンドル６５により、ディスクスタック４０を回転させる。スピンドル６５は、磁力により最下層のセンタコア４２を吸着するとともに、センタコア４２のセンタホール４２ｄに入り込むことで、ディスクスタック４０との軸合わせをする。この際、スピンドル６５が、圧縮コイルばね４６の付勢力に抗してセンタコア４２を若干持ち上げるので、図４、図５に示すように、各磁気ディスクメディア４１は、下プレート１０のシート５１とインナプレート２０、上下のインナプレート２０同士、またはインナプレート２０と上プレート３０のシート５１の各間に形成される空間の中央に位置する。
磁気ディスクドライブの磁気ヘッド６３は、各磁気ディスクメディア４１の両面に配置されている。
【００３６】
以上のような磁気ディスクカートリッジ１は、図１（ａ）に示すように、不使用時は、シャッタ４で開口部３を閉塞しておくことで、内部への塵埃の侵入を防止することができる。そして、使用時には、図１（ｂ）に示すように、磁気ディスクドライブ側の図示しないシャッタスライド手段により、開口部３が開く側にスライドされる。
そして、スピンドル６５（図４参照）が回転することで、ディスクスタック４０が回転する。その後、アクチュエータ６１により駆動されることでスイングアーム６２が回動して、磁気ヘッド６３が磁気ディスクメディア４１の上に移動される。
【００３７】
磁気ヘッド６３で、磁気ディスクメディア４１にデータを記録する場合には、図示せぬ制御回路により磁気ヘッド６３へ信号を送ることで磁気ディスクメディア４１にデータが記録され、磁気ディスクメディア４１からデータを再生する場合には、磁気ディスクメディア４１上の磁界変化を磁気ヘッド６３で検知して、信号が出力される。
また、ライナ４９が適宜磁気ディスクメディア４１に触れることで磁気ディスクメディア４１上の塵埃が除去される。
【００３８】
このとき、磁気ディスクメディア４１の高速回転に伴う気圧の変化によって、開口部３とそれ以外の部分とでは、気圧が不均衡となったり気流が乱れたりする可能性があり、この影響によって、最下層や最上層の磁気ディスクメディア４１は、回転動作が不安定になることがあるが、以下に説明するように、空気室５０Ａ，５０Ｂの作用によって気圧の差が解消されるとともに、気流の乱れが解消される。
図７は空気室の作用を説明するための一部を破断させた斜視図であり、図８は同じく模式断面図である。なお、図７において、連通口を形成する突部は断面で示した。
すなわち、図７，図８に示すように、空気室５０Ａ，５０Ｂ（図７では空気室５０Ａのみ図示）を介して、開口部３と、最下層および最上層の記録ディスクメディアが配置される空間との空気が行き交い、両者間の気圧の差が解消される。これにより、気流の乱れも解消される方向に向かう。
また、磁気ディスクメディア４１に対向する内面に通気性のシート５１を隔てて各空気室５０Ａ，５０Ｂが形成されているので、空気室５０Ａ，５０Ｂを介して空気が行き交う際にシート５１が気圧差や気流の乱れに対し緩衝材的な役割をなし、好ましい空気の流通を実現する。
【００３９】
磁気ディスクカートリッジ１の使用後は、磁気ヘッド６３がカートリッジケース２から退避した後、図示しないシャッタスライド手段が解除され、付勢手段によりシャッタ４が開口部３を閉じる。
【００４０】
このように磁気ディスクカートリッジ１は、複数の磁気ディスクメディア４１を有することから、複数の磁気ヘッド６３で同時にデータにアクセスすることで、データ転送を高速で行うことができる。
また、インナプレート２０を積み上げていくことでカートリッジケース２が構成されるために、磁気ディスクメディア４１を異なる枚数にする仕様変更が容易である。そして、磁気ディスクカートリッジ１の組立時には、磁気ディスクメディア４１をインナプレート２０上に載せて取り扱うことができるため、磁気ディスクメディア４１に触れる機会を減らし、品質をより安定させることができる。
そして、インナプレート２０は、下プレート１０もしくはインナプレート２０の上に積層され、固定されていることから、磁気ディスクメディア４１との平行性を高くでき、磁気ディスクメディア４１の回転を安定させることができ、磁気ディスクメディア４１の高速回転、ひいてはデータ転送の高速化も可能となる。
【００４１】
ここで、本実施形態の記録ディスクカートリッジ１では、開口部３に凹部１４ａ，３４が形成されていることによって、下プレート１０および上プレート３０に切欠による開口部を設けたときと略同様の圧力変化が、最下層および最上層の磁気ディスクメディア４１において生じる懸念があるが、下プレート１０および上プレート３０の磁気ディスクメディア４１に対向する内面に、通気性のシート５１を隔てて空気室５０Ａ，５０Ｂが形成され、この空気室５０Ａ，５０Ｂの端部が開口部３に連通される構成としてあるので、空気室５０Ａ，５０Ｂを介して空気が行き交い、磁気ディスクメディア４１が開口部３を通過するときの気圧とそれ以外の部分を通過するときの気圧の差が解消されることとなる。その結果、最下層および最上層の磁気ディスクメディア４１の安定した回転動作が可能となる。なお、空気室５０Ａ，５０Ｂは、シート５１を隔てて、開口部３を除く磁気ディスクメディア４１の対向面（インナプレート２０に対応する全面）に設けられているので、最下層および最上層の磁気ディスクメディア４１は、より安定した状態で回転動作される。
【００４２】
また、通気性のシート５１を隔てて空気室５０Ａ，５０Ｂが形成されているので、空気室５０Ａ，５０Ｂを介して空気が行き交う際に通気性のシート５１が緩衝材的な役割をなし、記録ディスクメディアの安定した回動動作に寄与する。さらに、通気性のシート５１は、非回転時（不使用時に記録ディスクカートリッジ１を収納場所等に収納した状態を含む）に撓んだ状態となる磁気ディスクメディア４１が、カートリッジケース２の内面に直接当接するのを防止して保護する機能を併せ備えており、これにより、磁気ディスクメディア４１の非回転時や回転初動時に生じるおそれのある擦傷が好適に防止されるようになっている。
【００４３】
以上、本発明の実施形態について説明したが、本発明は前記した実施形態に限定されることなく適宜変形して実施することが可能である。
図９，図１０に前記実施形態の変形例を示す。図９は実施形態の変形例に係る磁気ディスクカートリッジの外観斜視図の（ａ）シャッタを閉じた状態、および（ｂ）シャッタを開けた状態を示す。図１０は同じく磁気ディスクカートリッジの上プレートの内面を示す斜視図である。
【００４４】
図９（ａ）（ｂ）に示すように、この変形例の磁気ディスクカートリッジ１Ａは、進退動式の磁気ヘッド６３に対応したものであり、そのための構成として、前記第１変形例の磁気ディスクカートリッジ１よりも小さいシャッタ５が形成され、また、上プレート３０に矩形の切欠を設けて開口部３が形成されている点が異なる。また、これに伴って、図１０にも示すように、空気室５０Ａ，５０Ｂ（図では空気室５０Ｂのみ図示、以下同じ）が広く形成されている。また、通気性のシート５１も開口部３を除いて円形状を呈している。
【００４５】
シャッタ５は、図９（ａ）（ｂ）に示すように、側面視で略Ｌ字形を呈しており、下プレート１０の底面に形成された段部１０ａと上プレート３０の上面に形成された段部３０ａに沿ってスライド可能となっており、磁気ディスクドライブの磁気ヘッド６３が直進して進入可能な開口部３を開くようになっている。
【００４６】
このような磁気ディスクカートリッジ１Ａによれば、上プレート３０に切欠きによる開口部３が形成されているものの、前記実施形態に比べて開口部３の占める割合が小さくなっているので、空気室５０Ａ，５０Ｂによる作用効果と相俟って、より好適に圧力差を解消することができる。
【００４７】
なお、図１１（ａ）に示すように、通気性のシート５１は、開口部３に対応する部分を切り欠くことなく、リング状に形成してもよい。この場合には、図１１（ｂ）に示すように、開口部３にシート５１が臨むように配置される。
【００４８】
このような構成とすることにより、上プレート３０に形成した切欠（開口部３）をシート５１で実質的に塞ぐことができ、また、最下層および最上層の磁気ディスクメディア４１を、開口部３においてシート５１に沿わせて回転させることができるので、空気室５０Ａ，５０Ｂによる作用効果と相俟って、記録ディスクメディアのより一層安定した回動動作が実現されるようになる。
【００４９】
なお、前記実施形態においては、記録ディスクメディアとして磁気ディスクメディア４１を適用したが、光によりデータを記録する光ディスクメディアの場合にも同様に適用することができる。
また、実施形態においては、下プレート１０、インナプレート２０、上プレート３０をネジ９１により締結固定したが、接着、溶着により一体に固定することも可能である。
さらに、空気室５０Ａ（５０Ｂ）は、下プレート１０あるいは上プレート３０のいずれか一方に形成してもよい。また、インナプレート２０は、必ずしも設ける必要はなく、複数の磁気ディスクメディア４１がカートリッジケース２内に一体回転可能に収納されるように磁気ディスクカートリッジ１（１Ａ）が構成されていればよい。
【図面の簡単な説明】
【００５０】
【図１】一実施形態に係る磁気ディスクカートリッジの外観斜視図の（ａ）シャッタを閉じた状態、および（ｂ）シャッタを開けた状態を示す。
【図２】一実施形態に係る磁気ディスクカートリッジの分解斜視図である。
【図３】上プレートの内面を示す斜視図である。
【図４】磁気ディスクドライブに装填した磁気ディスクカートリッジの図１（ｂ）におけるIV−IV断面図である。
【図５】図４の部分拡大図である。
【図６】磁気ディスクメディアの積層構造を示す分解斜視図である。
【図７】空気室の作用を説明するための一部を破断させた斜視図である。
【図８】同じく模式断面図である。
【図９】実施形態の変形例に係る磁気ディスクカートリッジの外観斜視図の（ａ）シャッタを閉じた状態、および（ｂ）シャッタを開けた状態を示す。
【図１０】同じく磁気ディスクカートリッジの上プレートの内面を示す斜視図である。
【図１１】その他の磁気ディスクカートリッジを示す図であり、（ａ）は上プレートの内面を示す斜視図、（ｂ）はシャッタを開けた状態の外観斜視図である。
【符号の説明】
【００５１】
１      磁気ディスクカートリッジ
２      カートリッジケース
３      開口部
４      シャッタ
１０    下プレート
１５    突部
２０    インナプレート
２３    切欠
３０    上プレート
３４    開口
３５    突部
４０    ディスクスタック
４１    磁気ディスクメディア
４２    センタコア
４３    スペーサ
４４    連結軸
４５    ベアリングボール
４７    センタプレート
４９    ライナ
５０Ａ，５０Ｂ  空気室
５１    シート
６１    アクチュエータ
６２    スイングアーム
６３    磁気ヘッド
６５    スピンドル
【図１】
2006092705.tif 000003
【図２】
2006092705.tif 000004
【図３】
2006092705.tif 000005
【図４】
2006092705.tif 000006
【図５】
2006092705.tif 000007
【図６】
2006092705.tif 000008
【図７】
2006092705.tif 000009
【図８】
2006092705.tif 000010
【図９】
2006092705.tif 000011
【図１０】
2006092705.tif 000012
【図１１】
2006092705.tif 000013